(57)【要約】【目的】ガス圧調整器のガス洩れを極限的に減少させ、従来は異常と認識されなかったガス漏洩の原因を除去する。【構成】ガスが流入流出する圧力調整室を有する本体１１に可撓膜部材（２０）を張設するために、圧力調整室１５の開口縁に可撓膜部材の取り付け部２５を配置し、この取り付け部２５を開口縁２４との間にて固定するために、カバー部材２２の周縁部２３を上記開口縁２４にねじ止めする構成を有し、可撓膜部材の取り付け部２５が、開口縁２４に適切な加圧力で固定されるときに、ねじ止めに伴って周縁部２３に発生する応力に対抗し、変形を防止する突状部２７をカバー部材２２の周縁部２３に全周にわたって設ける。【選択図】        図４
2004301181.tif 000002
【特許請求の範囲】
【請求項１】
ガス源から供給されるガスの圧力を調整して下流へ送るために設けられるガス圧調整器において、ガスが流入流出する圧力調整室を有する本体に可撓膜部材を張設するために、圧力調整室の開口縁に可撓膜部材の取り付け部を配置し、この取り付け部を開口縁との間にて固定するために、カバー部材の周縁部を上記開口縁にねじ止めする構成を有し、可撓膜部材の取り付け部が、開口縁に適切な加圧力で固定されるときに、ねじ止めに伴って周縁部に発生する応力に対抗し、変形を防止する突状部をカバー部材の周縁部に全周にわたって設けたことを特徴とするガス圧調整器におけるガス漏れ防止機構。
【請求項２】
可撓膜部材の取り付け部は膜部よりも肉厚になっており、またカバー部材の周縁部に設けた突状部が、肉厚の上記取り付け部を加圧して気密性を高める構造となっている請求項１記載のガス圧調整器におけるガス洩れ防止機構。
【発明の詳細な説明】
【０００１】
【発明の属する技術分野】
本発明は、ガス圧調整器におけるガス洩れ防止機構に関するものである。
【０００２】
【従来の技術】
ガス源から供給されるガスの圧力を調整して作動部等へ送り、適切な混合気を作る目的などのもとに、ガスを使用する器具類には圧力調整器が用いられ、圧力調整器には、ガスが流入流出する圧力調整室の一面に、ダイヤフラムなどの可撓膜を張設し、一様な低圧力を得るようにしたものがある。このような圧力調整器の可撓膜はカバーによって覆われ、図５に示すように、カバーａは圧力調整器本体ｂにねじｃによって止め着けられるが、ねじ止めされる部分ｄはフランジ状であり、ねじ止めトルクが加わると微小な歪みを生じ得る。この歪みは、予め想定されている範囲であれば、ガス洩れを伴うほど大きい変形にはならないとされている。
【０００３】
しかしながら、ねじ止めトルクが過大であったり、通常４点のねじ止め部におけるトルクが不揃いであったりすると、カバーの変形ｅは無視できないものとなることがある。つまり変形ｅはガス洩れが生じるか生じないかの境い目程度の微小なものであるとしても、製品の落下や取り扱い中の衝撃等が加わりカバーが変形が進んだときには明らかなガス洩れとなる危険性があった。この危険性は比較的軽度のものであり、重要な問題とは考えられていなかったが、現実には異常と認識されないガス漏洩の原因の一つになっていると考えられる。
【０００４】
【発明が解決しようとする課題】
本発明は前記の点に着目してなされたもので、その課題は、ガス圧調整器のガス洩れを極限的に減少させ、従来は異常と認識されなかったガス漏洩の原因を除去することである。また本発明の他の課題は、ガス圧調整器の品質の安定を図ることである。
【０００５】
【課題を解決するための手段】
前記の課題を解決するため、本発明は、ガス圧調整器において、ガスが流入流出する圧力調整室を有する本体に可撓膜部材を張設するために、圧力調整室の開口縁に可撓膜部材の取り付け部を配置し、この取り付け部を開口縁との間にて固定するために、カバー部材の周縁部を上記開口縁にねじ止めする構成を有し、可撓膜部材の取り付け部が、開口縁に適切な加圧力で固定されるときに、ねじ止めに伴って周縁部に発生する応力に対抗し、変形を防止する突状部をカバー部材の周縁部に全周にわたって設けるという手段を講じたものである。
【０００６】
本発明の対象であるガス圧調整器は、ガス源から供給されるガスの圧力を調整して下流へ送る位置にあり、減圧器或いはガバナーなどとも称される。「ガス源」とは、ガスボンベなどの容器入りのもの又はそうでないなどのものを含み、また「下流」とは、ガス圧調整室よりも下流ということであり、バーナーなどの作動部を含む。
【０００７】
ガス圧調整器の本体は、ガス圧を調整するガスが流入流出する圧力調整室を有する。圧力調整室の開口縁には可撓膜部材を張設し、圧力調整を行うが、この可撓膜部材は取り付け部を、圧力調整室の開口縁に配置し、この取り付け部を開口縁との間にて固定するためにカバー部材の周縁部を上記開口縁にねじ止めする。可撓膜部材の取り付け部は、膜部よりも肉厚として、例えばＯ−リングのようなシール部材の機能を果たすことができる。
【０００８】
このような取り付け部が本体の開口縁に適切な加圧力で固定されるときに、ねじ止めに伴って発生する応力に対抗し、変形を防止する突状部をカバー部材の周縁部に全周にわたって設けるものとする。この突状部は、カバー部材の全周にわたって設けてあれば良いが、本体の開口縁を取り巻く、閉じたリング状のものであればさらに良く、また半円形断面のいわゆるビード状の形態を有することが望ましい。
【０００９】
カバー部材は、金属板材のプレス加工や、樹脂材料の型成形によって形成することが可能であり、本発明の場合にも、樹脂材料を使用可能である場合には、どちらの方法も適用可能である。そしてどちらの方法を適用した場合にも、工程数を増すことなく突状部を設けることができるので、製造工程におけるコストの負担増は殆んどない。
【００１０】
またカバー部材の突状部は、可撓膜部材の取り付け部を加圧して気密性を高めるために利用することができる。但し、突状部の高さが大き過ぎると可撓膜部材の取り付け部に損傷を生じさせる恐れを生じ、高さが小さ過ぎると、気密性向上を望めないこととなる。例えばゴム製の可撓膜部材の取り付け部の肉厚ｄが２．０ｍｍの場合、突状部の高さｈは０．１〜０．４ｍｍの範囲に於いて幕切れの恐れがなく、気密性も問題がなかったので、この例にしたがうと、取り付け部の肉厚ｄに対する突状部の高さｈは５〜２０％の範囲で有効であるということができる。しかしこの範囲は、可撓膜部材の材質や、カバー部材のねじ止めによる突状部から可撓膜部材に及ぼす加圧力等の要因によって変動し得ることを考慮する
と、２〜４０％でも妥当である。図３（ｂ）参照。
【００１１】
【発明の実施の形態】
以下図示の例を参照して本発明をより詳細に説明する。本発明のガス洩れ防止機構を組み込んだガス圧調整器１０は図１に全体的構造が示してあることから分かるように、本体１１の一側にガス源である携帯用ガス容器のガスノズル１２を挿し込む接続部１３を有し、その内部に弾装されている逆止弁１４の開弁時に流入するガスを、圧力調整室１５を経て、器具栓１６から下流のバーナー等へ送る構造を有している。１７は、圧力調整室内に導入するガスのノズル、１８は調整子で、ノズル１７を開閉する。
【００１２】
圧力調整室１５は、可撓膜部材であるゴム製のダイヤフラム２０を取り付けることで開口部分が閉じられる。ダイヤフラム２０は連動部材２１によって前記の調整子１８を挺子揺動させ、ノズル１７を開閉するように設けられており、カバー部材２２の周縁部２３を本体１１の開口縁２４にねじ止めすることによって、本体１１の開口縁２４との間に挟まれて固定される。開口縁２４には、ダイヤフラム２０の取り付け部２５を収めるリング状の溝２６が設けてあり、縁端２４ａは滑らかに整形されている。
【００１３】
このようなダイヤフラム取り付け部分に関連しているカバー部材２２の周縁部２３に、ねじ止めに伴って発生する応力に対抗し得るように突条部２７が形成される。突条部２７は、カバー部材２２のベル状に型成形された成形部３３の外側を、成形部３３に至近の位置で取り囲んで設けられており（図２）、またほぼ半円形状の横断面形状を有し（図３）、開口の全周を取り巻くリング状に設けられている（図２）。例示のカバー部材２２は金属板材をプレス加工したもので、４隅に、ねじ止めのための小孔２８を有し、また中心部には通気口２９を有している。
【００１４】
図中、３０はガス圧に対抗する弾性部材としてのスプリング、３１はスプリング受けで、ダイヤフラム２０とカバー部材２２に両端が支えられる。なお、本書に示してある実施形態では、ダイヤフラム２０の取り付け部２５の肉厚ｄを２．０ｍｍ、突状部２７の高さｈは０．２５±０．１５ｍｍに設定した。
【００１５】
このような構成を有する圧力調整器において、調整子１８等と連動するダイヤフラム２０を、本体１１の開口縁２４に配置するとともに、カバー部材２２をその上に重ねて、ねじ止めすると、組み立てが終わり、ねじ止めのトルクがカバー部材２２の周縁部２３に加わる。本発明ではベル状の成形部３３に近接して突状部２７が設けてあるため、カバー部材周縁部２３の構造強度が著しく高くなり、少々のねじ止めトルク増大程度では歪みとしてあらわれず、設計通りの形態を維持することができる。従って、ダイヤフラム２０をカバー部材２２と本体開口縁２４との間で挟んで固定した構造によるガス洩れの恐れはなく、また突状部２７の高さもダイヤフラム２０の取り付け部肉厚に対して適切な範囲にあるので、膜切れの問題を起こすことがない。
【００１６】
【発明の効果】
本発明は以上の如く構成され、かつ作用するものであるから、ガス圧調整器のガス洩れの問題を極めて高度に解決したので、全く洩れないといって良いほど極限的なレベルにまでガス洩れを減少させることができるとともに、ガス圧調整器の品質を向上させ、特に品質の安定性を高めることができるという顕著な効果を奏する。
【図面の簡単な説明】
【図１】本発明に係るガス洩れ防止機構を適用したガス圧調整器の例を示す断面図。
【図２】本発明のガス洩れ防止機構に使用するカバー部材の１例を示す内面図。
【図３】（ａ）図２のＩＩＩ−ＩＩＩ線断面図。
（ｂ）同上要部の拡大断面図。
【図４】本発明によるガス洩れ防止機構を適用したガス圧調整器の拡大断面図。
【図５】従来のガス圧調整器を示す側面部分図。
【符号の説明】
１０  ガス圧調整器
１１  本体
１５  ガス圧力調整室
１７  流入ノズル
２０  ダイヤフラム
２２    カバー部材
２３  周縁部
２４  開口縁
２５  取り付け部
２７  突状部
【図１】
2004301181.tif 000003
【図２】
2004301181.tif 000004
【図３】
2004301181.tif 000005
【図４】
2004301181.tif 000006
【図５】
2004301181.tif 000007